(57)【要約】【課題】仮係止位置にあるリテーナが外力を受けて本係止位置側に不用意に移動しないようにする。【解決手段】リテーナ６０はハウジング１０の挿入孔１５内に浅く差し込まれ、端子金具９０のキャビティ１１への挿抜を許容する仮係止位置と、仮係止位置から挿入孔１５内に深く差し込まれ、キャビティ１１内に正規挿入された端子金具９０の抜け止めをなす本係止位置とに移動可能とされる。リテーナ６０は一対の側面部を有し、各側面部の内面には、仮係止位置においてハウジング１０側の受け部２３，２６，２８と係合することにより、本係止位置に向かう移動を規制される仮係止部７１，７６，７７が設けられている。仮係止部７１，７６，７７は、側面部毎に間隔をあけて３つ設けられ、受け部２３，２６，２８は、仮係止部７１，７６，７７と対応する位置毎に設けられている。【選択図】図１
2008186739.tif 000002
【特許請求の範囲】
【請求項１】
端子金具が挿入されるキャビティを有するハウジングと、
前記ハウジングの外面に開口されるとともに前記キャビティに連通する挿入孔に対して差し込まれるリテーナとを備え、
前記リテーナは、前記挿入孔内に浅く差し込まれ、前記端子金具の前記キャビティへの挿抜を許容する仮係止位置と、前記仮係止位置から前記挿入孔内に深く差し込まれ、前記キャビティ内に正規挿入された前記端子金具の抜け止めをなす本係止位置とに移動可能となっており、
前記リテーナは、前記ハウジングの取付面に対向して配される一対の側面部を有し、
前記各側面部の内面には、前記仮係止位置において前記ハウジングの取付面に形成された受け部と係合することにより、前記本係止位置に向かう移動を規制される仮係止部が設けられ、かつ、
前記仮係止部は、前記側面部毎に間隔をあけて少なくとも３つ設けられ、前記受け部は、前記仮係止部と対応する位置毎に設けられていることを特徴とするコネクタ。
【請求項２】
前記挿入孔は、前記ハウジングの外面のうち、前記リテーナの差し込み方向で対向する一面とこの面に隣接する二面の三面に亘って開口され、前記リテーナは、前記挿入孔に対して相手側ハウジングとの嵌合方向と交差する斜め前方に向けて差し込まれるものであり、
前記仮係止部のうちの少なくとも二つは、前記各側面部の前後方向中央より前部側に配置されていることを特徴とする請求項１に記載のコネクタ。
【請求項３】
前記ハウジングの前記隣接する二面のそれぞれには、前記リテーナに形成されたガイド部が摺動することにより前記リテーナを前記本係止位置側に移動案内するガイド受け部が形成されており、
前記仮係止部のうちの少なくとも一つは、前記ガイド受け部に付設されていることを特徴とする請求項２に記載のコネクタ。 
【発明の詳細な説明】
【技術分野】
【０００１】
本発明は、コネクタに関する。
【背景技術】
【０００２】
特許文献１に記載のコネクタは、端子金具が挿入されるキャビティを有するハウジングと、ハウジングの外面に開口された挿入孔に対して直角に差し込まれるリテーナとを備えて構成される。リテーナは、仮係止位置と本係止位置とに移動可能とされ、仮係止位置では、キャビティ内への端子金具の挿抜を許容する一方、本係止位置では、ハウジング内に押し込まれてキャビティ内に正規挿入された端子金具を抜け止め保持するようになっている。仮係止位置では、ハウジング側の受け部に対して、リテーナの各側面部に設けられた二つの仮係止部が係合することにより、リテーナが本係止位置側に不用意に移動することがないようにしてある。
【特許文献１】特開２００５−３２７５０３公報
【発明の開示】
【発明が解決しようとする課題】
【０００３】
上記の場合、仮係止位置にあるリテーナに対してハウジング側への強い突き上げ力が加わると、仮係止部と受け部とによる係止状態が解除され、リテーナが本係止位置側に落ち込む可能性があった。そうすると、リテーナの一部がキャビティ内に進入し、キャビティ内に挿入される途中の端子金具と干渉して、端子金具の挿入動作に支障をきたすおそれがあった。
【０００４】
本発明は上記のような事情に基づいて完成されたものであって、仮係止位置にあるリテーナが本係止位置に不用意に移動しないようにすることを目的とする。
【課題を解決するための手段】
【０００５】
上記の目的を達成するための手段として、請求項１の発明は、端子金具が挿入されるキャビティを有するハウジングと、前記ハウジングの外面に開口されるとともに前記キャビティに連通する挿入孔に対して差し込まれるリテーナとを備え、前記リテーナは、前記挿入孔内に浅く差し込まれ、前記端子金具の前記キャビティへの挿抜を許容する仮係止位置と、前記仮係止位置から前記挿入孔内に深く差し込まれ、前記キャビティ内に正規挿入された前記端子金具の抜け止めをなす本係止位置とに移動可能となっており、前記リテーナは、前記ハウジングの取付面に対向して配される一対の側面部を有し、前記各側面部の内面には、前記仮係止位置において前記ハウジングの取付面に形成された受け部と係合することにより、前記本係止位置に向かう移動を規制される仮係止部が設けられ、かつ、前記仮係止部は、前記側面部毎に間隔をあけて少なくとも３つ設けられ、前記受け部は、前記仮係止部と対応する位置毎に設けられている構成としたところに特徴を有する。
【０００６】
請求項２の発明は、請求項１に記載のものにおいて、前記挿入孔は、前記ハウジングの外面のうち、前記リテーナの差し込み方向で対向する一面とこの面に隣接する二面の三面に亘って開口され、前記リテーナは、前記挿入孔に対して相手側ハウジングとの嵌合方向と交差する斜め前方に向けて差し込まれるものであり、前記仮係止部のうちの少なくとも二つは、前記各側面部の前後方向中央より前部側に配置されているところに特徴を有する。
【０００７】
請求項３の発明は、請求項２に記載のものにおいて、前記ハウジングの前記隣接する二面のそれぞれには、前記リテーナに形成されたガイド部が摺動することにより前記リテーナを前記本係止位置側に移動案内するガイド受け部が形成されており、前記仮係止部のうちの少なくとも一つは、前記ガイド受け部に付設されているところに特徴を有する。
【発明の効果】
【０００８】
＜請求項１の発明＞
リテーナが仮係止位置にあるときに、リテーナに対して不意に本係止位置側へ突き上げる外力が作用しても、本発明においては、仮係止部が側面部毎に間隔をあけ少なくとも３箇所で受け部と係合し合うから、前記外力に抗することができ、リテーナが不用意に本係止位置側に移動するのを防止できる。
【０００９】
＜請求項２の発明＞
挿入孔がハウジングの三面に亘って開口され、リテーナが挿入孔に対して斜め前方に差し込まれるから、リテーナの前部側がハウジング内に落ち込み易いという事情がある。しかるに本発明においては、仮係止部が各側面部の前後方向中央より前部側に配置されているから、リテーナの前部側がハウジング内に落ち込むのを抑えることができる。
【００１０】
＜請求項３の発明＞
仮係止部のうちの少なくとも一つがガイド受け部に付設されているから、リテーナの本係止位置への押し込み開始時に、リテーナの本係止位置への移動が節度感をもって止められる一方、この仮係止部と受け部との係止状態が解除されれば、リテーナを本係止位置に一挙に至らすことが可能となり、リテーナが仮係止位置から本係止位置に向かう途中で留め置かれる事態を回避できる。
【発明を実施するための最良の形態】
【００１１】
＜実施形態１＞
本発明の実施形態１を図１ないし図７によって説明する。本実施形態のコネクタは、ハウジング１０、端子金具９０、及びリテーナ６０を備え、ハウジング１０は相手側ハウジング（図示せず）に嵌合可能とされ、リテーナ６０は、仮係止位置と本係止位置とに移動可能とされ、かつ、仮係止位置と本係止位置のそれぞれでハウジング１０側に係止可能とされる。なお、以下の説明において前後方向については相手側ハウジングに対する嵌合面側を前方とする。
【００１２】
ハウジング１０は合成樹脂製であって、ブロック状をなし、図３に示すように、内部に、端子金具９０が挿入されるキャビティ１１が上下二段で形成されている。端子金具９０は公知の雌型端子金具であって、前部側に相手側の雄タブ（図示せず）を受け入れ可能な箱部９１を有するとともに、後部側に電線９５の端末に圧着されるバレル部９２を有する。キャビティ１１の内面には撓み可能なランス１２が設けられ、正規挿入された端子金具９０はランス１２によって弾性的に抜け止め係止される。ハウジング１０の前面には板状のフロントホルダ９６が装着され、このフロントホルダ９６によってランス１２の形成に伴う型抜き孔１３の前面側が塞がれ、ランス１２が保護状態に置かれる。  
また、ハウジング１０の上面には前後方向に片持ち梁状に延出されたロックアーム１４が撓み可能に形成されている。ハウジング１０が相手側ハウジングに正規嵌合された場合に、ロックアーム１４が相手側ハウジングを弾性係止することで両ハウジングが嵌合状態にロックされるようになっている。
【００１３】
ハウジング１０には、その下面と下面に隣接する両側面の三面に亘って開口されるとともに、上下の全キャビティ１１に通じる深さをもった挿入孔１５が形成されている。挿入孔１５には、図１及び図２に示すように、下方からリテーナ６０が差し込まれ、差し込まれたリテーナ６０は挿入孔１５内で仮係止位置と本係止位置とに移動可能となっている。ハウジング１０における挿入孔１５の後端縁は、前後方向（両ハウジングの嵌合・離脱方向）と交差する斜め方向に沿った斜面部１６とされ、この斜面部１６に摺動しつつリテーナ６０が斜め前上方に移動可能とされる。
【００１４】
ハウジング１０の両側面（本発明におけるハウジングの取付面）には、挿入孔１５の前端縁と後端縁とに接続されつつ挿入孔１５を横切って配されるブリッジ部１７が架設され、ブリッジ部１７の後端縁と挿入孔１５の後端縁との間に、挿入孔１５の一部を構成するガイド孔１８が開設されている。ブリッジ部１７とガイド孔１８は、本発明のガイド受け部を構成するものであり、リテーナ６０側のガイド部６１と係合してこのリテーナ６０を本係止位置側に移動案内する役割を担っている。詳しくはブリッジ部１７は、挿入孔１５の前端縁につながって挿入孔１５の後端縁と略平行に斜めに延びる第一ブリッジ部１９と、挿入孔１５の後端縁（斜面部１６）につながって前後方向に略水平に延びる第二ブリッジ部２１とからなり、両ブリッジ部１９，２１が挿入孔１５の中間部で鈍角の開き角度をもって交差連結されている。リテーナ６０のガイド部６１は、第一ブリッジ部１９の後端縁とガイド孔１８の斜面部１６とに摺動することでその移動操作が案内されるようになっている。ハウジング１０の両側面のうち、ブリッジ部１７を挟んだ前後領域は、ブリッジ部１７の成形に伴って周囲より一段落ちた凹所２２となっている。
【００１５】
そして、ハウジング１０の凹所２２のうち、挿入孔１５より後部側には、挿入孔１５の斜面部１６に沿った位置に、仮係止用の第一受け部２３（本発明の受け部の一つ）と本係止用受け部２４が凹み形成されている。第一受け部２３と本係止用受け部２４は仮係止位置から本係止位置に向かうリテーナ６０の移動方向に並んで配置され、本係止用受け部２４が第一受け部２３よりも移動方向前方に位置している。詳しくは第一受け部２３と本係止用受け部２４は、側方から見ると三角形状、詳細には水平縁と垂直縁とからなる直角三角形状をなし、内部に、リテーナ６０側の係止突部６２が嵌入可能となっている。
【００１６】
また、ハウジング１０の凹所２２のうち、挿入孔１５より前部側には、前後方向に長く延出される係止リブ受け部２５が形成され、この係止リブ受け部２５にはリテーナ６０側の係止リブ６３が引掛け状態で係止可能となっている。係止リブ受け部２５の下面は、仮係止位置から本係止位置に向かうリテーナ６０の挿入方向に沿ってテーパ状に傾斜しており、ここが係止リブ６３と当たり合う仮係止用の第二受け部２６（本発明の受け部の一つ）となっている。係止リブ受け部２５の上面は、本係止位置に至ったリテーナ６０の抜け方向と直交して配置されており、係止リブ６３と強固に当たり合うことでリテーナ６０の仮係止位置への戻り操作を規制可能となっている。
【００１７】
また、ブリッジ部１７には、第一ブリッジ部１９の前端縁の斜面上に、リテーナ６０の移動操作を規制する止め部２７が形成されている。止め部２７は、下端縁を構成する水平部分と前端縁を構成する垂直部分とで全体として三角形の突状をなし、その水平部分が、リテーナ６０が仮係止位置にあるときに、リテーナ６０の上端縁とリテーナ６０の本係止位置への移動方向と交差する略水平方向で当たり合う仮係止用の第三受け部２８（本発明の受け部の一つ）となっている。止め部２７の水平部分と第二ブリッジ部２１の上端縁はほぼ同じ高さ位置に配置されている。なお、止め部２７、係止リブ受け部２５、第一受け部２３、本係止用受け部２４は、ハウジング１０の両側面においてハウジング１０の幅方向中心軸を挟んだ対称位置に対をなして設けられている。
【００１８】
続いてリテーナ６０について説明すると、リテーナ６０は合成樹脂製であって、ハウジング１０の全幅に亘る長さをもって形成されている。詳しくはリテーナ６０は、図５ないし図７に示すように、挿入孔１５の内部に進入する形態であってキャビティ１１と連通可能な端子挿通孔６４を幅方向に複数並列させた窓枠状の本体部６５と、本体部６５の底面に接合されるとともに本体部６５の前端から前方に突出する板状の底板部６６と、底板部６６の幅方向両端縁の前半部分から略垂直に立ち上げられた左右一対の板状の側板部６７（本発明の側面部）とから構成される。
【００１９】
本体部６５は、端子挿通孔６４の下面毎に、端子金具９０に対する抜止部６８が形成されており、この抜止部６８は、リテーナ６０が仮係止位置にあるときには下段のキャビティ１１から退避した位置にあって同キャビティ１１内への端子金具９０の挿抜を許容する一方、リテーナ６０が本係止位置にあるときには同キャビティ１１内に進入してそこに正規挿入された端子金具９０を抜け止め状態で係止する。また、本体部６５のうち、端子挿通孔６４を区画する上端縁には、端子挿通孔６４内に突成された抜止部６８と対応する位置毎に、同じく抜止部６８が設けられており、この抜止部６８によって上段のキャビティ１１に挿入された端子金具９０の抜け止めがなされる。
【００２０】
本体部６５の後面はリテーナ６０の本係止位置への移動方向に沿った斜面部６９とされ、ここが挿入孔１５側の斜面部１６と摺動可能とされる。本体部６５の斜面部６９は、水平軸に対して略４５度の傾きをもって配置され、その上部側に、側方から見ると三角形の係止突部６２が形成されている。係止突部６２は、仮係止位置では第一受け部２３に嵌合状態で係止可能とされ、本係止位置では本係止用受け部２４に嵌合状態で係止可能とされており、仮係止位置から本係止位置へは、第一受け部２３と本係止用受け部２４との間に形成された突端部分を弾性的に乗り越え可能となっている。  
係止突部６２の上面は、リテーナ６０の本係止位置への移動方向に沿ってテーパ状に緩く傾斜する形態の第一仮係止部７１（本発明の仮係止部の一つ）とされる。リテーナ６０は第一仮係止部７１と第一受け部２３が係合することで仮係止位置に一時的に留め置かれるとともに、仮係止位置にあるリテーナ６０に対して本係止位置への押し込み力が付与されたときに、第一仮係止部７１が突端部分を乗り越えることでリテーナ６０が本係止位置側に移動可能となっている。
【００２１】
本体部６５の両側面は閉止面７２（本発明の側面部）とされ、リテーナ６０が本係止位置に至ったときに、閉止面７２と側板部６７とでハウジング１０における挿入孔１５の側面開口が塞がれるようになっている。本体部６５の閉止面７２には、リテーナ６０の移動方向に沿って延出された左右一対のガイド部６１が突設され、ガイド部６１の後端縁に、係止突部６２が連なっている。ガイド部６１は、ガイド孔１８内を前後方向（両ハウジングの嵌合・離脱方向）と交差する斜め前方向に移動可能とされ、リテーナ６０が仮係止位置にあるときには、ガイド孔１８のうちの略下半部にあって第二ブリッジ部２１と当接して配され、リテーナ６０が本係止位置にあるときには、ガイド孔１８のうちの略上半部にあってガイド孔１８の孔上縁に当接して配される。
【００２２】
底板部６６はリテーナ６０が本係止位置に至ったときに、ハウジング１０における挿入孔１５の底面開口を閉止可能な大きさであって方形板状をなしている。底板部６６の後端縁には操作部７３が下向きに突設され、この操作部７３を摘みつつリテーナ６０を移動操作が可能となっている。操作部７３の上面には、リテーナ６０が仮係止位置にあるときに、ハウジング１０における挿入孔１５の後端開口縁に浅く当接する補助係止部７４が突設されている。そして、側板部６７は第二ブリッジ部２１の前端縁と摺動可能な斜めの後端縁を有するとともに、その斜辺上に、リテーナ６０が本係止位置にあるときに、ハウジング１０側の止め部２７が進入する逃がし凹部７５が切り欠いて形成されている。側板部６７の上端縁は前後方向に略水平に配置され、側板部６７の上端縁の後部には、リテーナ６０が仮係止位置にあるときに、止め部２７の第三受け部２８と当接することでリテーナ６０が本係止位置側に移動するのを規制する第三仮係止部７６（本発明の仮係止部の一つ）が設けられている。
【００２３】
また、側板部６７の内面上端部には、前後方向に延出されるとともに内向きに爪状に突出する形態の係止リブ６３が形成されている。係止リブ６３は、係止リブ受け部２５と前後方向に沿って長く当たり合うことで、リテーナ６０の前半部を保持可能とされる。係止リブ６３の上面は、リテーナ６０の挿入方向に沿って傾斜するテーパ状の第二仮係止部７７（本発明の仮係止部の一つ）とされ、係止リブ受け部２５の第二受け部２６と当接可能となっている。
【００２４】
リテーナ６０が仮係止位置にあるときには、第二仮係止部７７と第二受け部２６が当たり合うことでリテーナ６０が仮係止位置に留め置かれ、リテーナ６０に対して本係止位置への押し込み力が付与されると、第二仮係止部７７と第二受け部２６が互いに摺動しつつ側板部６７が幅方向外側に弾性的に拡開される。そして、リテーナ６０が本係止位置に至ると、側板部６７が弾性復帰するとともに係止リブ６３が係止リブ受け部２５をリテーナ６０の戻り方向で引掛け係止するようになっている。また、側板部６７の拡開動作に伴い、第三仮係止部７６と第三受け部２８との係合状態が解除され、第三仮係止部７６が止め部２７を円滑に乗り越え可能となっている。なお、係止突部６２、ガイド部６１、止め部２７、係止リブ６３は、リテーナ６０の両側面部においてリテーナ６０の幅方向中心軸を挟んだ対称位置に対をなして設けられている。また、第二仮係止部７７と第三仮係止部７６は、リテーナ６０の前後方向中央よりも前部側に配置されている一方、第一仮係止部７１は、リテーナ６０の前後方向中央よりも後部側に配置されている。
【００２５】
次に本実施形態の作用効果を説明する。まず、ハウジング１０の挿入孔１５に対して下方からリテーナ６０を浅く差し込んで仮係止位置に留め置き、その状態でキャビティ１１内に後方から端子金具９０を挿入する。キャビティ１１内に正規挿入された端子金具９０はランス１２によって一次係止される。リテーナ６０が仮係止位置にあるときには、図１に示すように、ガイド部６１がガイド孔１８の下半部にあり、係止突部６２が第一受け部２３内に進入して第一仮係止部７１が第一受け部２３と比較的軽く係合するとともに、第三仮係止部７６が止め部２７の第三受け部２８と比較的強く係合し、かつ、係止リブ６３が係止リブ受け部２５の直下に位置して第二仮係止部７７が第二受け部２６と比較的軽く係合し、これにより、リテーナ６０が仮係止位置に留め置かれる。
【００２６】
ところで、仮係止位置にあるリテーナ６０の底板部６６はハウジング１０の底面から浮いた状態にあり、下方からハウジング１０側に突き上げる何らかの外力Ｆが不意に加わると、各仮係止部７１，７６，７７と対応する受け部２３，２６，２８との係合状態が解除され、リテーナ６０が本係止位置側に落ち込む可能性がある。そうすると、リテーナ６０の抜止部６８がキャビティ１１内に進入して、キャビティ１１内への挿入途上の端子金具９０と干渉し、端子金具９０の挿入動作が一時的に停止され、作業に支障をきたす懸念がある。特に、リテーナ６０は斜め前上方に向かって移動するため、リテーナ６０の前端部に作用する外力Ｆによって、ガイド部６１とガイド受け部との係合領域を中心としてリテーナ６０が突き上げ方向に回動し、リテーナ６０の前端部（底板部６６の前端部）がハウジング１０内に落ち込む可能性が高いという事情がある。
【００２７】
しかるに本実施形態においては、ハウジング１０の幅方向両端側のそれぞれで、リテーナ６０の本係止位置への移動方向に関して、第一仮係止部７１と第一受け部２３とが係合するとともに、第二仮係止部７７と第二受け部２６とが係合し、かつ、第三仮係止部７６と第三受け部２８とが係合しており、さらには補助係止部７４による係合作用も加味され、これらが間隔をあけて個別に係止し合うことにより、リテーナ６０が仮係止位置に確実に留め置かれるようになっている。このうち、第一仮係止部７１と第一受け部２３、及び第二仮係止部７７と第二受け部２６は、いずれもリテーナ６０の前部側で係合しているから、リテーナ６０の前部側に対する外力Ｆに抗することができ、リテーナ６０の前部側がハウジング１０内に落ち込むのを防止できる。しかも、第三仮係止部７６と第三受け部２８とは水平面に沿って当り合っているから、垂直方向の外力Ｆに対して有効に抗することができる。さらには、ハウジング１０の後端下面には、ガイド部６１とガイド孔１８とを中心としてリテーナ６０が回動する方向でこのリテーナ６０と当り合う回動規制片３１が鉤状に突成されており、この回動規制片３１によってリテーナ６０の前部側がハウジング１０内に落ち込むのを確実に防止できるようになっている。
【００２８】
その後、リテーナ６０は、斜め前上方に移動されて本係止位置に至らしめられる。本係止位置では、図３に示すように、リテーナ６０の抜止部６８が端子金具９０の後端顎部９３と抜け方向で対峙し、このリテーナ６０によって端子金具９０が二次係止される。また本係止位置では、図２に示すように、係止リブ６３と係止リブ受け部２５がリテーナ６０の戻り方向で互いに係止し合うとともに、係止突部６２が本係止用受け部２４に嵌ることで、リテーナ６０の戻り方向への移動が規制されるとともに、ガイド部６１がガイド孔１８の孔上縁に当接することで、リテーナ６０の斜め前上方へのさらなる移動が規制され、これによってリテーナ６０が本係止位置に留め置かれる。またこのとき、リテーナ６０の前端縁はハウジング１０の挿入孔１５の前端部に形成されたガタ詰め突起３３を圧潰し、これによってリテーナ６０の遊動が抑えられる。そして、リテーナ６０が本係止位置にあるときには、側板部６７の弾性復帰に伴って係止突部６２が逃がし凹部７５に進入し、係止突部６２と側板部６７との干渉が回避されるようになっている。
【００２９】
また、リテーナ６０の本係止位置への押し込み開始時には、第三仮係止部７６と第三受け部２８が第一ブリッジ部１９の斜面上で水平面に沿って当り合うことで、リテーナ６０の本係止位置への移動が節度感をもって一時的に規制される一方、側板部６７の拡開動作によって第三仮係止部７６が第三受け部２８から解離されるや、リテーナ６０を本係止位置に一挙に至らすことが可能となり、リテーナ６０が仮係止位置から本係止位置に向かう途中で留め置かれる事態を回避できる。
【００３０】
＜他の実施形態＞
本発明は上記記述及び図面によって説明した実施形態に限定されるものではなく、例えば次のような実施形態も本発明の技術的範囲に含まれる。  
（１）上記実施形態では、リテーナはハウジングの嵌合方向に対して斜め方向に移動するものであったが、本発明は、ハウジングに対してその嵌合方向と略直交する方向に移動するサイドタイプのリテーナにも適用可能である。  
（２）仮係止部は、必ずしも側板部のような可動部分に設けられていなくてもよい。  
（３）挿入孔はハウジングの一面にのみ開口され、受け部はこの挿入孔の内面に形成されるものであってもよい。  
（４）仮係止部はリテーナの側面毎に間隔をあけて４つ以上設けられ、ハウジングにはこれら仮係止部と対応する位置毎に受け部が設けられていてもよい。
【図面の簡単な説明】
【００３１】
【図１】実施形態１のコネクタにおいて、リテーナが仮係止位置にあるときの側面図
【図２】リテーナが本係止位置にあるときの側面図
【図３】リテーナが本係止位置にあるときの側断面図
【図４】ハウジングの底面図
【図５】リテーナの側面図
【図６】リテーナの平面図
【図７】リテーナの正面図
【符号の説明】
【００３２】
Ｆ…外力
１０…ハウジング
１１…キャビティ
１５…挿入孔
１７…ブリッジ部
１８…ガイド孔
２３…第一受け部
２６…第二受け部
２８…第三受け部
６０…リテーナ
７１…第一仮係止部
７６…第三仮係止部
７７…第二仮係止部
９０…端子金具
【図１】
2008186739.tif 000003
【図２】
2008186739.tif 000004
【図３】
2008186739.tif 000005
【図４】
2008186739.tif 000006
【図５】
2008186739.tif 000007
【図６】
2008186739.tif 000008
【図７】
2008186739.tif 000009